(57)【要約】【課題】作業者への負担を軽減することが可能な折り畳み椅子を提供する。【解決手段】折り畳み椅子１００は、前脚２１０と、後脚２２０と、背もたれ部３１０を有する背面部３００と、背もたれ部３１０を持ち上げることにより回転する座部４００とを備えている。そして、背面部３００は、前脚２１０に対してスライド移動可能に連結されると共に、座部４００は、後脚２２０及び背面部３００のそれぞれに回転可能に軸支される。そして、背もたれ部３１０が持ち上げられた場合、背面部３００が上方（矢印Ｌ１方向）にスライド移動するのに伴って、座部４００の後方が持ち上がると共に、座部４００の前方が後方下方（矢印Ｌ２方向）に回転移動する。【選択図】図７
2011250897.tif 000002
【特許請求の範囲】
【請求項１】
脚部と、
背もたれ部を有する背面部と、
前記背もたれ部を持ち上げることにより回転する座部とを備えることを特徴とする折り畳み椅子。
【請求項２】
前記背面部は、前記脚部に対してスライド移動可能に連結されると共に、
前記座部は、前記脚部及び前記背面部のそれぞれに回転可能に軸支され、
前記背もたれ部が持ち上げられた場合、前記背面部が上方にスライド移動するのに伴って、前記座部の後方が持ち上がると共に、前記座部の前方が後方下方に回転移動することを特徴とする請求項１に記載の折り畳み椅子。
【請求項３】
前記脚部と前記背面部との連結部分は、２重筒であることを特徴とする請求項１又は２に記載の折り畳み椅子。
【請求項４】
前記脚部は、側面視においてＸ字状に交差して配置される前脚及び後脚を含むと共に、前記前脚及び前記後脚は、該交差した部分で回転可能に連結され、
前記背面部は、当該前脚に対してスライド移動可能であり、且つ、前記座部は、当該後脚に回転可能に軸支されることを特徴とする請求項１〜３のいずれか１項に記載の折り畳み椅子。
【請求項５】
前記脚部に対する前記背もたれ部の移動を規制するロック機構をさらに備え、
前記ロック機構のロック解除部は、前記背もたれ部に設けられていることを特徴とする請求項１〜４のいずれか１項に記載の折り畳み椅子。
【請求項６】
前記背もたれ部の前記ロック解除部が設けられる部分とは異なる部分に、持ち手用開口部が設けられていることを特徴とする請求項５に記載の折り畳み椅子。
【請求項７】
前記背もたれ部の移動に連動して折り畳まれる肘掛部をさらに備えることを特徴とする請求項１〜６のいずれか１項に記載の折り畳み椅子。
【請求項８】
前記肘掛部の一端は、前記座部から着脱可能であることを特徴とする請求項７に記載の折り畳み椅子。
【請求項９】
請求項１〜８のいずれか１項に記載の折り畳み椅子は、浴室で使用されることを特徴とするシャワーチェア。
【発明の詳細な説明】
【技術分野】
【０００１】
本発明は、折り畳み椅子及びシャワーチェアに関し、特に、被介護者及び高齢者等が入浴時に使用する折り畳み椅子及びシャワーチェアに関する。
【背景技術】
【０００２】
従来、入浴時に被介護者及び高齢者等が腰掛ける椅子が種々提案されている（例えば、特許文献１参照）。この特許文献１には、前脚および後脚の開脚時に座部が水平状態で支持される一方、前脚および後脚の閉脚時に座部が略垂直状態に格納される浴室用折り畳み椅子が開示されている。
【先行技術文献】
【特許文献】
【０００３】
【特許文献１】特開２００７−３７６０８号公報
【発明の概要】
【発明が解決しようとする課題】
【０００４】
上記特許文献１の浴室用折り畳み椅子では、座面の前端部を把持して持ち上げることにより座面が回動して略垂直状態となって椅子が折り畳まれる。すなわち、特許文献１に開示される浴室用折り畳み椅子を折り畳む際には、作業者は、腰を屈めて座部を操作しなければならない。特に、浴室等の狭いスペースにおいて、腰を屈めた作業者が、一方の手で被介護者及び高齢者等を支えつつ、他方の手で椅子折り畳む作業は、非常に大きな負担となっていた。
【０００５】
そこで、本発明の目的は、作業者への負担を軽減することが可能な折り畳み椅子及びシャワーチェアを提供することである。
【課題を解決するための手段】
【０００６】
第１の局面に係る折り畳み椅子は、脚部と、背もたれ部を有する背面部と、背もたれ部を持ち上げることにより回転する座部とを備える。
【０００７】
この場合、背もたれ部を持ち上げることにより、座部が回転して椅子が折り畳まれる。すなわち、折り畳み時の操作位置が背もたれ部の高さとなり、作業者は、直立姿勢の状態で、椅子を折り畳むことができる。その結果、作業者の腰に加わる負担が軽減される。
また、片手で背もたれ部を持ち上げるという簡単な作業で、椅子を折り畳むことができる。その結果、一方の手で被介護者及び高齢者等を支持しつつ、もう一方の手で折り畳み椅子を収納することができるので、作業者に加わる負担を軽減することができる。特に、本発明では、直立姿勢の状態で被介護者及び高齢者等の支持と椅子の折り畳みとを行えるので、腰を曲げた状態で両作業を行う場合と比べて、作業者に加わる負担が大幅に軽減される。
また、背もたれ部を持ち上げるという作業は、椅子の前からでも行うことができるので、浴室等の狭い作業スペースでの作業も簡単になる。
【０００８】
折り畳み椅子において、背面部は、脚部に対してスライド移動可能に連結されると共に、座部は、脚部及び背面部のそれぞれに回転可能に軸支される。そして、背もたれ部が持ち上げられた場合、背面部が上方にスライド移動するのに伴って、座部の後方が持ち上がると共に、座部の前方が後方下方に回転移動する。
【０００９】
この場合、背もたれ部を持ち上げるだけで背面部がスライド移動し、座部が回転して椅子が折り畳まれる。すなわち、片手で背もたれ部を持ち上げるという簡単な作業で、座部が回転し椅子が折り畳まれる。
【００１０】
折り畳み椅子において、脚部と背面部との連結部分は、２重筒である。
【００１１】
この場合、２重筒という簡単な構成で脚部に対する背面部のスライド移動を実現することができる。
また、脚部と背面部との連結部分において、一方が他方の内部に入り込む構造を採用することによって、当該スライド移動を実現する構造として、椅子の構造が煩雑になるのを抑制できると共に椅子のコンパクト化を図ることができる。
【００１２】
折り畳み椅子において、脚部は、側面視においてＸ字状に交差して配置される前脚及び後脚を含むと共に、前脚及び後脚は、該交差した部分で回転可能に連結され、背面部は、当該前脚に対してスライド移動可能であり、且つ、座部は、当該後脚に回転可能に軸支される。
【００１３】
この場合、背もたれ部を持ち上げるだけで背面部がスライド移動し、座部が回転すると共に前脚及び後脚が回転して、椅子が折り畳まれる。すなわち、片手で背もたれ部を持ち上げるという簡単な作業で、座部及び脚部を含めて椅子を折り畳むことが可能となる。その結果、不使用時に折り畳み椅子をよりコンパクトに収納することが可能となる。
【００１４】
折り畳み椅子において、脚部に対する背もたれ部の移動を規制するロック機構をさらに備え、ロック機構のロック解除部は、背もたれ部に設けられている。
【００１５】
この場合、背もたれ部を把持して持ち上げるだけで、背面部のスライド移動のロック解除と、背面部のスライド移動とを同時に行うことができる。
また、ロック解除部を背もたれ部に設けることによって、スライド移動のロック解除時の操作位置が背もたれ部の高さとなり、作業者の腰に加わる負担を軽減することができる。
【００１６】
折り畳み椅子において、背もたれ部のロック解除部が設けられる部分とは異なる部分に、持ち手用開口部が設けられている。
【００１７】
この場合、持ち手用開口部とロック解除部とが離れて設けられるので、椅子の持ち運び時にロック解除部を誤操作し、折り畳み椅子が作業者の意図しない場合に折り畳まれるのを防止することができる。
【００１８】
折り畳み椅子において、背もたれ部の移動に連動して折り畳まれる肘掛部をさらに備える。
【００１９】
この場合、背面部のスライド移動に連動して肘掛部が折り畳まれるので、片手で背面部を引き上げるという簡単な作業で、座部及び脚部だけでなく肘掛部も含めて椅子を折り畳むことができる。その結果、不使用時に折り畳み椅子をよりコンパクトに収納することが可能となる。
【００２０】
折り畳み椅子において、肘掛部の一端は、座部から着脱可能である。
【００２１】
この場合、座部から横方向に移動する妨げとなる肘掛部を座部から外すことができる。これにより、被介護者及び高齢者等は座部に座った状態のまま横方向に移動することができる。
【００２２】
第２の局面に係るシャワーチェアは、浴室で使用される上記したいずれか１項に係る折り畳み椅子である。
【００２３】
この場合、背もたれ部を持ち上げることにより、座部が回転してシャワーチェアが折り畳まれる。すなわち、折り畳み時の操作位置が背もたれ部の高さとなり、作業者は、直立姿勢の状態で、椅子を折り畳むことができる。その結果、作業者の腰に加わる負担が軽減される。
また、片手で背もたれ部を持ち上げるという簡単な作業で、シャワーチェアを折り畳むことができる。その結果、一方の手で被介護者及び高齢者等を介護しつつ、もう一方の手でシャワーチェアを収納することができるので、作業者に加わる負担を軽減することができる。特に、本発明では、直立姿勢の状態で被介護者及び高齢者等の支持とシャワーチェアの折り畳みとを行えるので、腰を曲げた状態で両作業を行う場合と比べて、作業者に加わる負担が大幅に軽減される。
また、背もたれ部を持ち上げるという作業は、シャワーチェアの前からでも行うことができるので、浴室のような狭い作業スペースでの作業も簡単になる。
【発明の効果】
【００２４】
この発明による折り畳み椅子及びシャワーチェアを利用することにより、作業者への負担を軽減することができる。
【図面の簡単な説明】
【００２５】
【図１】本発明の一実施形態に係る折り畳み椅子の斜視図である。
【図２】図１に示した折り畳み椅子の側面図である。
【図３】図１に示した折り畳み椅子の正面図である。
【図４】図１に示した折り畳み椅子の背面図である。
【図５】背面部と脚部との連結部分の内部構造を示した断面図である。
【図６】肘掛部の固定構造を説明するための模式図である。
【図７】図１に示した折り畳み椅子の折り畳み動作を説明するための図である。
【図８】図１に示した折り畳み椅子の肘掛部の収納方法を説明するための図である。
【図９】図１に示した折り畳み椅子の肘掛部の収納方法を説明するための図である。
【発明を実施するための形態】
【００２６】
（折り畳み椅子の全体構成）
本実施形態に係る折り畳み椅子（以下、適宜「椅子」と略記する）１００は、被介護者及び高齢者等（以下、被介護者等とする）が入浴時に浴室で使用するシャワーチェアであって、不使用時に略平面的に折り畳むことが可能な折り畳み椅子である。図１に示すように、本実施形態の折り畳み椅子１００は、脚部２００と、背もたれ部３１０を有する背面部３００と、座部４００と、肘掛部５００と、ロック機構６００とを備えている。以下、折り畳み椅子１００の詳細を説明する。
【００２７】
（脚部）
図１及び図２に示すように、脚部２００は、椅子１００の前方（矢印Ｙ１方向）で当該椅子１００を支持する前脚２１０と、椅子１００の後方（矢印Ｙ２方向）で当該椅子１００を支持する後脚２２０とを有している。図２に示すように、側面視において、前脚２１０と後脚２２０とはＸ字状に交差して配置されると共に、前脚２１０と後脚２２０とは、該交差した部分で回転可能に連結されている。
【００２８】
（前脚）
図１及び図２に示すように、前脚２１０は、左右一対の前脚フレーム２１１と、前脚フレーム２１１の各々の下端に装着される脚ゴム２１２と、一対の前脚フレーム２１１間にわたって設けられた連結部２１３とを含んでいる。図２に示すように、前脚フレーム２１１は、略Ｓ字状に屈曲された金属製パイプ（例えば、耐水性、耐腐食性、防カビ性に優れたステンレス製のパイプ）であって、設置面Ｓに対して略平行に延びる水平パイプ部２１４と、水平パイプ部２１４の前端から下方（設置面Ｓ）に向かって延びる前方パイプ部２１５と、水平パイプ部２１４の後端から上方（設置面Ｓから遠ざかる方向）に向かって延びる後方パイプ部２１６とを有している。前方パイプ部２１５の下端に設けられる脚ゴム２１２は、椅子１００が浴室内の水で滑るのを防止するために取り付けられている。図３に示すように、連結部２１３は、正面視において前脚フレーム２１１の各々に対して直交するように溶接により接合されている。
【００２９】
（後脚）
図１及び図２に示すように、後脚２２０は、左右一対の後脚フレーム２２１と、後脚フレーム２２１の各々の下端に装着される脚ゴム２２２と、一対の後脚フレーム２２１間にわたって設けられた連結部２２３とを含んでいる。一対の後脚フレーム２２１は、それぞれ、上記した一対の前脚フレーム２１１の外側に配置されている。そして、図２に示すように、後脚フレーム２２１は、略Ｓ字状に屈曲された金属製パイプ（例えば、耐水性、耐腐食性、防カビ性に優れたステンレス製のパイプ）であって、設置面Ｓに対して略平行に延びる水平パイプ部２２４と、水平パイプ部２２４の後端から下方（設置面Ｓ）に向かって延びる後方パイプ部２２５と、水平パイプ部２２４の前端から上方（設置面Ｓから遠ざかる方向）に向かって延びる前方パイプ部２２６とを有している。前述した前脚フレーム２１１とこの後脚フレーム２２１とは、その水平パイプ部２１４及び２２４において、互いに回転可能に連結されている。後方パイプ部２２５の下端に設けられる脚ゴム２２２は、上記した脚ゴム２１２と同様に、椅子１００が浴室内の水で滑るのを防止するために取り付けられている。図４に示すように、連結部２２３は、背面視において後脚フレーム２２１の各々に対して直交するように溶接により接合されている。
【００３０】
また、図３に示すように、本実施形態の後脚２２０は、一対の後脚フレーム２２１の上部（前方パイプ部２２６）に設けられる回転軸２２７を含んでいる。この回転軸２２７は、正面視において、後脚フレーム２２１の各々に対して直交するように取り付けられている。また、回転軸２２７は、後述する座部４００の軸受部４２０に回転可能に支持されている。
【００３１】
（背面部）
図１〜図３に示すように、背面部３００は、椅子１００に腰掛けた使用者の背中を支持する背もたれ部３１０と、当該背もたれ部３１０が上部に取り付けられる背面フレーム３２０とを含んでいる。この背面部３００は、上記した前脚２１０に対してスライド移動可能に連結されており、椅子１００の折り畳み時に、背もたれ部３１０を持ち上げることにより、背面部３００が前脚２１０に対して上方（設置面Ｓから遠ざかる方向）にスライド移動する。図４に示すように、背もたれ部３１０の表面には、クッション性に優れたラバー材が設けられている。このラバー材は、耐水性、耐腐食性、防カビ性に優れた材料であることが好ましい。また、背面フレーム３２０は、背面視において、略逆Ｕ字状に屈曲された金属製のパイプであって、左右一対の側方パイプ部３２１と、一対の側方パイプ部３２１の上端をつなぐ上方パイプ部３２２とを有している。図５に示すように、側方パイプ部３２１の内径Ｒ１は、前述した前脚フレーム２１１の後方パイプ部２１６の外径Ｒ２より大きく設計されており、側方パイプ部３２１の内部に後方パイプ２１６が入り込むことが可能となっている。すなわち、本実施形態では、前脚２１０と背面部３００との連結部分が２重筒構造となっている。これにより、側方パイプ部３２１が、その内部に入り込んだ後方パイプ部２１６に沿って（矢印Ｌ１方向）移動することによって、背面部３００が前脚２１０に対してスライド移動可能となる。なお、ここでは、側方パイプ部３２１の内部に後方パイプ部２１６が入り込む例について説明したが、当然、後方パイプ部２１６の内部に側方パイプ部３２１が入り込む構造でも良い。
【００３２】
図４に示すように、背もたれ部３１０の下部には、後述するロック機構６００が設けられている。ロック機構６００の詳細については、後述する。また、背もたれ部３１０の外縁より内側の部分には、持ち手用開口部３１１が形成されている。この持ち手用開口部３１１は、椅子１００を持ち運ぶ際に作業者が把持するための開口部である。
【００３３】
また、背面部３００は、図４に示すように、背面フレーム３２０の下部に設けられる回転軸３３０を含んでいる。この回転軸３３０は、背面視において、一対の側方パイプ部３２１の各々に対して直交するように溶接により接合されている。回転軸３３０は、後述する座部４００の軸受部４３０に回転可能に支持されている。
【００３４】
（座部）
図２に示すように、座部４００は、使用者が着座する本体部４１０と、該本体部４１０の裏面に設けられる軸受部４２０及び４３０とを含んでいる。本体部４１０の表面には、クッション性に優れたラバー材が設けられている。このラバー材は、耐水性、耐腐食性、防カビ性に優れた材料であることが好ましい。また、軸受部４２０は、後脚２２０の回転軸２２７を回転可能に軸支するために設けられている。また、軸受部４３０は、背面部３００の回転軸３３０を回転可能に軸支するために設けられている。この軸受部４２０は、本体部４１０の前後方向（矢印Ｙ１方向及び矢印Ｙ２方向）の中心より前方側（矢印Ｙ１方向側）に設けられると共に、軸受部４３０は、本体部４１０の前後方向（矢印Ｙ１方向及び矢印Ｙ２方向）の中心より後方側（矢印Ｙ２方向側）に設けられている。
【００３５】
また、図１及び図２に示すように、本実施形態の座部４００は、後述する肘掛部５００（ライトアーム５００Ｒ及びレフトアーム５００Ｌ）を固定するためのアーム固定部４４０Ｒ及び４４０Ｌを有している。このアーム固定部４４０Ｒ及び４４０Ｌの各々は、前述した軸受部４２０の外側に回転可能に取り付けられている。
【００３６】
（肘掛部）
肘掛部５００は、椅子１００に腰掛けた使用者の右肘を支持するライトアーム５００Ｒと、該使用者の左肘を支持するレフトアーム５００Ｌとを含んでいる。なお、ライトアーム５００Ｒとレフトアーム５００Ｌとの構成は同様であるので、ここでは、ライトアーム５００Ｒについて説明し、レフトアーム５００Ｌについては、その説明を適宜割愛する。なお、レフトアーム５００Ｌのライトアーム５００Ｒに対応する部分については、「Ｒ」の代わりに「Ｌ」の符号を付す。
【００３７】
図２に示すように、ライトアーム５００Ｒは、プラスチック製のアーム部５１０Ｒと、金属製パイプのアーム部５２０Ｒとを有し、該アーム部５１０Ｒと該アーム部５２０Ｒとは互いに回転可能に連結されている。アーム部５１０Ｒは、椅子１００の前後方向（矢印Ｙ１方向及び矢印Ｙ２方向）に沿って配置されると共に、アーム部５２０Ｒは、椅子１００の高さ方向（矢印Ｚ１方向及び矢印Ｚ２方向）に沿って配置される。アーム部５１０Ｒの一端は、背面部３００の背面フレーム３２０に回転可能に軸支されると共に、アーム部５１０Ｒの他端は、アーム部５２０Ｒの一端に回転可能に軸支されている。また、アーム部５２０Ｒの一端は、アーム部５１０Ｒの他端に回転可能に軸支されると共に、アーム部５２０Ｒの他端は、アーム固定部４４０Ｒに固定されている。なお、本実施形態では、アーム部５２０Ｒの他端は、アーム固定部４４０Ｒから着脱可能に構成されている。
【００３８】
（肘掛部と座部との固定構造）
ここで、図６を参照して、肘掛部５００（アーム部５２０Ｒの他端）と座部４００（アーム固定部４４０Ｒ）との固定構造について詳細に説明する。図６に示すように、アーム固定部４４０Ｒは、座部４００の軸受部４２０に対して回転可能に取り付けられており、本体部４４１Ｒと、当該本体部４４１Ｒから上方に突出する突出部４４２Ｒと、板ばね等の付勢部材により当該突出部４４２Ｒの外側に向かって付勢される嵌合ピン４４３Ｒとを有している。また、アーム部５２０Ｒの他端には、樹脂製のキャップ５３０Ｒが取り付けられている。このキャップ５３０Ｒは、突出部４４２Ｒが内部に入り込む筒形状であって、その側面には、嵌合ピン４４３Ｒが嵌る嵌合孔５３１Ｒが形成されている。上記構成により、キャップ５３０Ｒの嵌合孔５３１Ｒにアーム固定部４４０Ｒの嵌合ピン４４３Ｒが嵌ることによって、肘掛部５００と座部４００との固定が行われる。なお、図６の括弧書は、ライトアーム５００Ｒとレフトアーム５００Ｌと対応関係を示している。
【００３９】
（ロック機構）
次に、背面部３００のスライド移動を規制するためのロック機構６００について説明する。図４に示すように、ロック機構６００は、背面部３００のスライド移動の規制を解除するロック解除ボタン６１０を有している。このロック解除ボタン６１０は、背もたれ部３１０の幅方向中央の下端部に設けられており、背もたれ部３１０を下方から把持することによって押し下げられて、当該スライド移動の規制を解除する。
【００４０】
（折り畳み椅子１００の折り畳み動作）
次に、図７を参照して、本実施形態の折り畳み椅子１００の折り畳み動作について説明する。本実施形態の折り畳み椅子１００は、不使用時にコンパクトに収容することができるように、略平面的に折り畳むことが可能である。
【００４１】
作業者が行う操作としては、背もたれ部３１０を下方から把持して上方（矢印Ｚ１方向）に持ち上げるだけである。上記操作により、背もたれ部３１０の下端部に設けられるロック解除ボタン６１０（図１参照）が押し下げられて、前脚２１０に対する背面部３００のスライド移動の規制が解除される。これにより、図７に示すように、背面部３００が前脚２１０の後方パイプ部２１６が延びる方向（矢印Ｌ１方向）に沿ってスライド移動する。この際、背面部３００の回転軸３３０がスライド移動することによって、当該回転軸３３０を軸支する軸受部４３０が持ち上がる。これにより、座部４００の後方が矢印Ｌ１方向に持ち上がると共に、座部４００の前方が当該回転軸３３０を中心に後方下方（矢印Ｌ２方向）に回転する。その結果、背面部３００と座部４００とが略平面的に配置される。
【００４２】
上記した背面部３００のスライド移動と座部４００の回転とが行われる間、肘掛部５００（ライトアーム５００Ｒ）に着目すると、肘掛部５００のアーム部５１０Ｒの一端は、背面フレーム３２０に取り付けられているので、背面部３００のスライド移動に伴って、矢印Ｌ１方向に移動する。一方、アーム部５２０Ｒの他端は、アーム固定部４４０Ｒに固定されているので、座部４００の回動に伴って、矢印Ｌ２方向に移動する。これにより、側面視において略垂直に連結されたアーム部５１０Ｒ及び５２０Ｒを有する肘掛部５００は、背面部３００のスライド移動に連動して、略直線的に折り畳まれる。ここでは、ライトアーム５００Ｒについて説明したが、背面部３００のスライド移動に連動して、当然、レフトアーム５００Ｌも略直線的に折り畳まれる。
【００４３】
また、上記した背面部３００のスライド移動と座部４００の回転とが行われる間、脚部２００に着目すると、座部４００の後方下方（矢印Ｌ２方向）への回転に伴って、後脚２２０の前方パイプ部２２６は、後方上方（矢印Ｌ３方向）に回動すると共に、後脚２２０の後方パイプ部２２５は、前方下方（矢印Ｌ４方向）に回動する。その結果、略Ｘ字状に配置された前脚２１０及び後脚２２０が、互いに近づくように回転して、折り畳まれる。
【００４４】
上記のようにして、背もたれ部３１０を下方から把持して上方（矢印Ｚ１方向）に持ち上げるだけで、背面部３００がスライド移動するのに連動して、座部４００が回転すると共に、前脚２１０及び後脚２２０が互いに近づくように回転し、さらに、肘掛部５００が略直線的に延びることによって、折り畳み椅子１００が略平面的に折り畳まれる。
【００４５】
（肘掛部５００の収納方法）
次に、図６，図８及び図９を参照して、本実施形態の折り畳み椅子１００の肘掛部５００の収納方法について説明する。肘掛部５００は、座部４００に着座する被介護者等の肘掛けとして機能するが、当該被介護者等をバスタブに移動させる場合等、被介護者等を折り畳み椅子１００から横方向（矢印Ｘ１方向又は矢印Ｘ２方向）に移動させる場合に、当該肘掛部５００は横方向への移動の妨げとなる。そこで、本実施形態では、肘掛部５００を収納可能に構成すると共に、その折り畳まれた肘掛部５００を被介護者等の横から退避させることにより、被介護者等の横方向への移動を可能にしている。
【００４６】
ここでは、ライトアーム５００Ｒの収納方法について説明し、レフトアーム５００Ｌについては、その説明を省略する。図８（ａ）に示すように、肘掛部５００の他端が座部４００に固定された状態から、作業者は、まず、図８（ｂ）に示すように、アーム部５２０Ｒの他端をアーム固定部４４０Ｒから取り外す。具体的には、図６（ａ）に示すように、アーム部５２０Ｒの他端に取り付けられるキャップ５３０Ｒがアーム固定部４４０Ｒに固定されている状態から、図６（ｂ）に示すように、作業者は、アーム固定部４４０Ｒの嵌合ピン４４３Ｒを押し下げて、キャップ５３０Ｒとアーム固定部４４０Ｒとの固定を解除する。
【００４７】
次に、図８（ｃ）に示すように、アーム部５２０Ｒをアーム部５１０Ｒに近づくように矢印Ｄ１方向に回転させる。これにより、図９（ｄ）に示すように、アーム部５１０Ｒとアーム部５２０Ｒとが重なるように折り畳まれる。そして、図９（ｅ）に示すように、折り畳まれたアーム部５１０Ｒ及びアーム部５２０Ｒを、背面フレーム３２０側（矢印Ｄ２方向）に回転させる。これにより、座部４００に腰掛ける被介護者の横方向への移動の妨げになる肘掛部５００が、当該移動の妨げにならない位置に退避される。
【００４８】
（本実施形態における効果）
本実施形態では、上記のように、背もたれ部３１０を持ち上げるだけで、椅子１００が折り畳まれる。すなわち、折り畳み時の操作位置が背もたれ部３１０の高さとなる。これにより、作業者は、従来のように作業者が屈んで座部を折り畳む必要がないので、直立姿勢の状態で、椅子１００を折り畳むことができるので、作業者の腰に加わる負担が軽減される。
【００４９】
また、本実施形態では、片手で背もたれ部３１０を持ち上げるという簡単な作業で、椅子１００を折り畳むことができる。その結果、一方の手で被介護者等を介護しつつ、もう一方の手で折り畳み椅子１００を収納することができるので、作業者に加わる負担を軽減することができる。特に、本実施形態では、直立姿勢の状態で被介護者等の支持と椅子１００の折り畳みとを行えるので、腰を曲げた状態で両作業を行う場合と比べて、作業者に加わる負担が大幅に軽減される。
【００５０】
また、本実施形態では、背もたれ部３１０を持ち上げるという作業は、椅子１００の前からでも行うことができるので、浴室などの限られた狭い作業スペースでの作業も簡単になる。
【００５１】
また、本実施形態では、脚部２００と背面部３００との連結部分を２重筒（側方パイプ部３２１の内部に後方パイプ２１６が入り込む構成）にすることによって、２重筒という簡単な構成で脚部２００に対する背面部３００のスライド移動を実現することができる。
【００５２】
また、本実施形態では、脚部２００と背面部３００との連結部分において、一方が他方の内部に入り込む構造を採用することによって、椅子１００の構造が煩雑になるのを抑制できると共に椅子１００のコンパクト化を図ることができる。
【００５３】
また、本実施形態では、側面視において前脚２１０及び後脚２２０がＸ字状に交差して配置されると共に、前脚２１０及び後脚２２０は、該交差した部分で回転可能に連結されることによって、背もたれ部３１０を持ち上げるだけで背面部３００がスライド移動し、座部４００が回転すると共に前脚２１０及び後脚２２０が回転して、椅子１００が折り畳まれる。すなわち、片手で背もたれ部３１０を持ち上げるという簡単な作業で、座部４００及び脚部２００を含めて椅子１００を折り畳むことが可能となる。その結果、不使用時に椅子１００をよりコンパクトに収納することが可能となる。
【００５４】
また、本実施形態では、ロック機構６００のロック解除ボタン６１０を背もたれ部３１０に設けることによって、背もたれ部３１０を把持して持ち上げるだけで、背面部３００のスライド移動のロック解除と、背面部３００のスライド移動とを同時に行うことができる。
【００５５】
また、本実施形態では、ロック解除ボタン６１０を背もたれ部３１０に設けることによって、スライド移動のロック解除時の操作位置が背もたれ部３１０の高さとなり、作業者の腰に加わる負担を軽減することができる。
【００５６】
また、本実施形態では、持ち手用開口部３１１とロック解除ボタン６１０とが離れて設けられるので、椅子１００の持ち運び時にロック解除ボタン６１０を誤操作し、折り畳み椅子１００が作業者の意図しない場合に折り畳まれるのを防止することができる。
【００５７】
また、本実施形態では、背面部３００のスライド移動に連動して肘掛部５００が折り畳まれるので、片手で背面部３００を引き上げるという簡単な作業で、座部４００及び脚部２００だけでなく肘掛部５００も含めて椅子１００を折り畳むことができる。その結果、不使用時に折り畳み椅子を略平面的に折り畳むことが可能となり、よりコンパクトに収納することが可能となる。
【００５８】
また、本実施形態では、ライトアーム５００Ｒのアーム部５１０Ｒ及び５２０Ｒを互いに回転可能に連結し、且つ、アーム部５１０Ｒを背面部３００に回転可能に軸支すると共にアーム部５２０Ｒを座部４００から着脱可能に構成することによって、座部４００から横方向に移動する妨げとなる肘掛部５００をコンパクトに収納することができる。これにより、被介護者等は座部４００に座った状態のまま横方向に移動することができる。レフトアーム５００Ｌについても同様の効果が奏する。
【００５９】
（請求項の各構成要素と上記実施形態の各部との対応関係）
上記実施形態においては、折り畳み椅子１００が「折り畳み椅子」及び「シャワーチェア」に相当し、脚部２００が「脚部」に相当し、前脚２１０が「前脚」に相当し、後脚２２０が「後脚」に相当し、背面部３００が「背面部」に相当し、背もたれ部３１０が「背もたれ部」に相当し、持ち手用開口部３１１が「持ち手用開口部」に相当し、座部４００が「座部」に相当し、肘掛部５００が「肘掛部」に相当し、ロック機構６００が「ロック機構」に相当し、ロック解除ボタン６１０が「ロック解除部」に相当する。
【００６０】
以上、本発明の実施形態について図面に基づいて説明したが、具体的な構成は、これらの実施形態に限定されるものでないと考えられるべきである。本発明の範囲は、上記した実施形態の説明だけではなく特許請求の範囲によって示され、さらに特許請求の範囲と均等の意味及び範囲内でのすべての変更が含まれる。
【００６１】
（変形例）
上記実施形態では、背面部３００と脚部２００との連結部分を２重筒構造にする例について説明したが、本発明はこれに限らず、リニアガイド等の様々なスライド手段により、背面部３００が脚部２００に対してスライド移動可能に構成されていても良い。
【００６２】
また、上記実施形態では、側面視においてＸ字状に配置された脚部２００の前脚２１０に対して背面部３００をスライド移動可能に構成する例について説明したが、本発明はこれに限らず、脚部２００に対して背面部３００がスライド移動可能であれば、後脚２２０に対して背面部３００がスライド移動可能であっても良い。
【００６３】
また、上記実施形態では、ロック解除ボタン６１０を背もたれ部３１０の下端部に設ける例について説明したが、本発明はこれに限らず、持ち手用開口部３１１内にロック解除ボタン６１０を設けても良い。
【符号の説明】
【００６４】
１００  折り畳み椅子
２００  脚部
２１０  前脚
２２０  後脚
３００  背面部
３１０  背もたれ部
３１１  持ち手用開口部
４００  座部
５００  肘掛部
６００  ロック機構
６１０  ロック解除ボタン
【図１】
2011250897.tif 000003
【図２】
2011250897.tif 000004
【図３】
2011250897.tif 000005
【図４】
2011250897.tif 000006
【図５】
2011250897.tif 000007
【図６】
2011250897.tif 000008
【図７】
2011250897.tif 000009
【図８】
2011250897.tif 000010
【図９】
2011250897.tif 000011